(57)【要約】      （修正有）【課題】レンズシフト機能を有すると共に、投射レンズの入射面とクロスダイクロイックプリズムの射出面との間に防塵構造を備えた投射型表示装置を提供する。【解決手段】光変調素子と、調整光学系と、投射レンズと、調整光学系の射出面側に配設された枠状の第１防塵構造部材と、投射レンズの入射面側を覆うように配設された枠状の第２防塵構造部材と、第１防塵構造部材と第２防塵構造部材とのいずれか一方に固着され、第１防塵構造部材と第２防塵構造部材とを繋ぐリング状の弾性体である第３防塵構造部材とを有し、射出面と入射面と第１防塵構造部材と第２防塵構造部材と第３防塵構造部材とにより閉じられた空間が形成され、一方に対する他方の側が摺動することにより投射レンズが光軸に直交する方向に移動が可能である。【選択図】図４
2010128135.tif 000002
【特許請求の範囲】
【請求項１】
映像信号に基づき光変調された画像を投射する投射型表示装置において、
入射した光を光変調する光変調素子と、
前記光変調素子で変調された光を射出面から画像光として射出する調整光学系と、
前記画像光を入射面から入射して拡大投射する投射レンズと、
前記調整光学系と前記投射レンズとの間に、前記調整光学系の前記射出面から射出する画像光の光束の外側を覆うように設けられた枠状の第１防塵構造部材と、
前記調整光学系と前記投射レンズとの間に、前記投射レンズの前記入射面に入射する画像光の光束の外側を覆うように設けられた枠状の第２防塵構造部材と、
前記第１防塵構造部材と前記第２防塵構造部材とのいずれか一方に固着され、前記第１防塵構造部材と前記第２防塵構造部材とに挟まれたリング状の弾性体である第３防塵構造部材と、
を有し、
前記射出面と前記入射面と前記第１防塵構造部材と前記第２防塵構造部材と前記第３防塵構造部材とにより閉じられた空間が形成され、前記一方に対する他方の側が摺動することにより前記投射レンズが光軸に直交する方向に移動自在であることを特徴とする投射型表示装置。
【請求項２】
前記光変調素子は、Ｒ光，Ｇ光，Ｂ光の各色光の光束のそれぞれに対応する３つ光変調素子であって、
前記調整光学系は、入射した前記３つの光変調素子で光変調された各色光を色合成して射出面から画像光として射出する色合成光学系であることを特徴とする請求項１記載の投射型表示装置。
【発明の詳細な説明】
【技術分野】
【０００１】
本発明は、複数の空間光変調素子によって生成された画像光を光合成手段によって光学的に合成し、合成された光束を投射レンズによってスクリーン上に拡大して投影する際に、光合成手段と投射レンズとの間に塵芥が進入し、投影画像が劣化することを防ぐ構成を有する投射型表示装置に関するものである。
【背景技術】
【０００２】
映像情報をもとに生成された画像光束を拡大投影する投射型表示装置が広く用いられている。
この種の投射型表示装置のうちで３板式の投射型表示装置と呼ばれるものは、ＲＧＢ３原色の各色光に対応した３つの光変調素子に表示された各色に応じた画像光束を光学的に合成した光束を、投射レンズを用いてスクリーン上に拡大投影する。
【０００３】
また、投射型表示装置の設置場所の自由度を高めるため、投射レンズにより画像光束をスクリーン上に拡大投影する際に、投射レンズを光軸に対して直交する方向に上下及び左右位置を移動するレンズシフトと呼ばれる機能を有する投射表示装置が増えてきた。
レンズシフトを行うことで、スクリーン上に投影される画像光束の位置を上下及び左右方向に変えることが可能となる。
【０００４】
一方、スクリーン上に投影される画像光束の品位を低下させる要因の一つとして、塵埃が投射レンズの光束の入射面や色合成光学系の光束の射出面に付着することがあげられる。
投射レンズの光束の入射面や色合成光学系の光束の射出面に塵埃が付着すると、投射画面の明るさやコントラストが低下する。
そのため、投射レンズの光束の入射面と色合成光学系の光束の射出面との間の光路内に塵埃の進入を防ぐ技術が特許文献１に記載されている。
【０００５】
特許文献１には、概ね以下の内容が開示されている。
投射型表示装置は、入射した光束を外部からの入力画像信号に基づき光変調する赤色（Ｒ）光用光変調素子，緑色（Ｇ）光用光変調素子及び青色（Ｂ）光用光変調素子と、Ｒ光用光変調素子，Ｇ光用光変調素子及びＢ光用光変調素子でそれぞれ変調され射出したＲ光束，Ｇ光束及びＢ光束を合成するクロスダイクロイックプリズムと、投射レンズとを少なくとも備える。
【０００６】
Ｒ光用光変調素子，Ｇ光用光変調素子及びＢ光用光変調素子は、それぞれ偏光ビームスプリッタを介してクロスダイクロイックプリズムに公知の防塵構造を用いて固定されている。
また、投射型表示装置の筐体には、２つの平面がＬ字状に繋がった一体化部材が備えられている。Ｌ字状の１面は投射型表示装置の筐体側面に固定され、筐体を貫通する形で孔が形成されている。投射レンズは、この孔を貫く形で一体化部材に固定されている。
更に、一体化部材の他方の面には、Ｒ光用光変調素子，Ｇ光用光変調素子及びＢ光用光変調素子が固定されたクロスダイクロイックプリズムが、投射レンズの入射面とクロスダイクロイックプリズムの射出面とが対向するように配設されている。
【０００７】
投射レンズの入射面とクロスダイクロイックプリズムの射出面とに塵埃が付着することを防ぐため、投射レンズの入射面とクロスダイクロイックプリズムの射出面とを覆うように防塵部材が配設されている。
【０００８】
【特許文献１】特開２００４-３０９８０８号公報
【発明の開示】
【発明が解決しようとする課題】
【０００９】
ところで、特許文献１の投射型表示装置では、投射レンズの入射面とクロスダイクロイックプリズムの射出面とに塵埃が付着することを防ぐことが可能ではあるが、投射レンズは一体化部材に固定されており、光軸に対して垂直方向への移動はできない構造となっている。
そのため、スクリーン上に投影される画像光束の位置を上下及び左右方向に変えるレンズシフトと呼ばれる機能を併せ持たせることができず、投射型表示装置の設置場所が限定されてしまう。
【００１０】
そこで、本発明は、投射レンズが光軸に対して直交する方向に対して移動が可能な構成であって、投射レンズの入射面とクロスダイクロイックプリズムの射出面との間に防塵構造を備えた投射型表示装置を提供することを目的とする。
【課題を解決するための手段】
【００１１】
１）上記の目的を達成するために、映像信号に基づき画像を投射する本発明の投射型表示装置は、入射した光を光変調する光変調素子と、光変調素子で変調された光を射出面から画像光として射出する調整光学系と、入射面から入射した画像光を拡大投射する投射レンズと、調整光学系と投射レンズとの間に、調整光学系の射出面側から射出する画像光の光束の外側を覆うように配設された枠状の第１防塵構造部材と、調整光学系と投射レンズとの間に、投射レンズの入射面に入射する画像光の光束の外側を覆うように配設された枠状の第２防塵構造部材と、第１防塵構造部材と第２防塵構造部材との間の位置に、第１防塵構造部材と第２防塵構造部材とのいずれか一方に固着され、第１防塵構造部材と第２防塵構造部材とを繋ぐリング状の弾性体である第３防塵構造部材とを有し、射出面と入射面と第１防塵構造部材と第２防塵構造部材と第３防塵構造部材とにより閉じられた空間が形成され、一方に対する他方の側が摺動することにより投射レンズが光軸に直交する方向に移動が可能である。
２）上記の目的を達成するために、本発明の１）に記載の投射型表示装置の光変調素子は、Ｒ光，Ｇ光，Ｂ光の各色光の光束のそれぞれに対応する３つ光変調素子であって、調整光学系は、入射した３つの光変調素子で光変調された各色光を色合成して射出面から画像光として射出する色合成光学系である。
【発明の効果】
【００１２】
本発明によれば、レンズシフト機構を用いて光軸に対して直交する方向に投射レンズを移動することが可能な投射型表示装置において、レンズシフト機構によって投射レンズを移動した場合でも、塵挨が投射レンズやクロスダイクロイックプリズムに付着することがなく、高品位な画像を投射可能な投射型表示装置を提供することができる。
【発明を実施するための最良の形態】
【００１３】
以下に、本発明に係る投射型表示装置の実施形態について、図面を参照して説明する。
図１は、本発明の一実施形態に係る投射型表示装置を説明するための平面図である。
図１に示すように、投射型表示装置１は、無偏光の白色光の光束を射出する光源２と、光源２からの射出した白色光の光束のうち赤外線帯域の光を透過しそれ以外帯域の光束を反射する赤外線透過フィルタ３と、紫外線帯域の光を反射しそれ以外帯域の光束を透過する紫外線反射フィルタ４とを有し、光源２から射出した白色光の光束は、赤外線帯域の光及び紫外線帯域の光が除去され可視光域の光束となる。
【００１４】
更に、投射型表示装置１は、２枚のフライアイレンズを有し２枚１組で入射した可視光域の光束を複数の部分光束に分割し、透過した光束の照度分布を均一化するインテグレータ光学系５と、インテグレータ光学系５を射出した無偏光の可視光域の光束を２つの直線偏光状態に分離した後、一方の直線偏光状態を他方の直線偏光状態に変換し射出する偏光変換素子６と、偏光変換素子６を射出した直線偏光の可視光域の光束を、青色（以下「Ｂ」と称す）光を反射し、赤緑色（以下「ＲＧ」と称す）光を透過することにより入射した光をＢ光の光束とＲＧ光の光束と分光するＢダイクロイックミラー７とを備えている。
【００１５】
更に、投射型表示装置のＢ光の光束の光路上には、Ｂダイクロイックミラー７で反射されたＢ光の光束の入射方向から４５度傾斜して配設され、入射したＢ光の光束を反射し、その方向を９０度変える反射ミラー８と、反射ミラー８で反射したＢ光の光束が入射するＢ光用反射型液晶パネル組立体９ｂとを備えている。
【００１６】
更に、投射型表示装置のＲＧ光の光束の光路上には、緑色（以下「Ｇ」と称す）光を反射し、赤色（以下「Ｒ」と称す）光を透過することにより入射したＲＧ光の光束をＧ光の光束とＲ光の光束と分光するＲＧダイクロイックミラー１０と、ＲＧダイクロイックミラー１０を透過したＲ項の光束が入射するＲ光用反射型液晶パネル組立体９ｒと、ＲＧダイクロイックミラー１０で反射したＧ光の光束が入射するＧ光用反射型液晶パネル組立体９ｇとを備えている。
【００１７】
ここで、Ｒ光用反射型液晶パネル組立体９ｒ，Ｇ光用反射型液晶パネル組立体９ｇ及びＢ光用反射型液晶パネル組立体９ｂは全て同一に構成されており、且つ、Ｒ光用反射型液晶パネル組立体９ｒ，Ｇ光用反射型液晶パネル組立体９ｇ及びＢ光用反射型液晶パネル組立体９ｂは、直方体形状に形成された調整光学系の各入射面１１a〜１１cに対向して近接配置されている。以下では、調整光学系として色合成光学系であるクロスダイクロイックプリズム１１を用いた場合について説明を行う。
【００１８】
更に、Ｒ光用反射型液晶パネル組立体９ｒ，Ｇ光用反射型液晶パネル組立体９ｇ及びＢ光用反射型液晶パネル組立体９ｂは、アルミ板材やステンレス板材などを用いて略直角三角柱形状を成している。
図２に、本実施形態の光変調部であるＢ光用反射型液晶パネル組立体９ｂを拡大して示す。Ｒ光用反射型液晶パネル組立体９ｒ及びＧ光用反射型液晶パネル組立体９ｇについても同様の構造を有している。
【００１９】
図２に示すように、Ｂ光用反射型液晶パネル組立体９ｂは、入射するＢ光の光軸に対して４５度傾斜して第１面１２ｂと、この第１面を挟んで互いに直交した第２面１３ｂ及び第３面１４ｂと、これら第１面１２ｂ，第２面１３ｂ及び第３面１４ｂの上下に図示しない第４面と、第５面とを有しており、第１面１２ｂ乃至第５面に囲まれた内部は中空状になっている。
【００２０】
第１面１２ｂには、第１偏光成分の光束を透過し、第２偏光成分の光束を反射させるＢ光用の偏光板１５ｂが配設されている。
Ｂ光用の偏光板１５ｂの一例としては、光学ガラス板上に、アルミニウムなどの金属線を例えば１４０ｎｍのピッチで規則正しくストライプ状に多数本並べて形成し、金属線に垂直な偏光成分（例えば、Ｐ偏光）をそのまま透過させ、且つ、金属線に平行な偏光成分（例えば、Ｓ偏光）は反射する機能を有するワイヤグリッド偏光板がある。
【００２１】
偏光変換素子６で１つの方向の直線偏光（ここでは１例としてＰ偏光とする）に変換され、Ｂダイクロイックミラー７で分光されたＢ光の光束（以下、Ｐ偏光のＢ光の光束と称する）は、Ｂ光用の偏光板１５ｂを透過する。
【００２２】
第２面１３ｂには、Ｂ光用の偏光板１５ｂを透過したＰ偏光のＢ光の光束に対して直交して配設されたＢ光用の光変調素子１６ｂが配設されている。
Ｂ光用の光変調素子１６ｂに入射したＰ偏光のＢ光の光束は、Ｂ光用の光変調素子１６ｂにおいて外部から入力したＢ光用の駆動信号に基づき光変調及び反射され射出する。
【００２３】
Ｂ光用の光変調素子１６ｂを射出したＢ光の光束は、再びＢ光用の偏光板１５ｂに入射する。
Ｂ光用の偏光板１５ｂに入射したＢ光の光束のうち、Ｂ光用の光変調素子１６ｂで光変調されなかったＰ偏光の光はＢ光用の偏光板１５ｂを透過するが、Ｂ光用の光変調素子１６ｂで光変調されたＳ偏光の光はＢ光用の偏光板１５ｂで反射され、光路を９０度折り曲げられる。
【００２４】
Ｂ光用の偏光板１５ｂ光路を９０度折り曲げられたＳ偏光Ｂの光は、第３面１４ｂに配設された透過型偏光板１７ｂを透過して、クロスダイクロイックプリズム１１のＢ光入射面１１ａからクロスダイクロイックプリズム１１に入射する。
ここで、透過型偏光板１７ｂは、入射した光束のうちＰ偏光以外の光を反射し、Ｐ偏光の光のみを透過させ、透過する偏光の光のコントラストを上げるものである。
【００２５】
Ｂ光用反射型液晶パネル組立体９ｂの第３面１４ｂとクロスダイクロイックプリズム１１のＢ光入射面１１ａとの間には、透過型偏光板１７ｂ及びＢ光入射面１１ａへの塵埃の付着を防止するため、ゴム等の弾性体で形成された偏光板防塵部材１８ｂが透過型偏光板１７ｂの外周部及びＢ光入射面１１ａの光の入射領域の外周の外側の領域を覆うように形成されている。
【００２６】
更に、Ｂ光用の光変調素子１６ｂは放熱用の冷却部材１９ｂに貼付けられ、冷却部材１９ｂは、Ｂ光用反射型液晶パネル組立体９ｂの第２面１３ｂに公知の方法で隙間無く取付けられている。
このため、Ｂ光用反射型液晶パネル組立体９ｂの内部の空間は、Ｂ光用の偏光板１５ｂ，冷却部材１９ｂ及び偏光板防塵部材１８ｂによって外部と遮断され、外部の塵埃がＢ光用反射型液晶パネル組立体９ｂの内部の空間に入り込むことを防いでいる。
【００２７】
Ｇ光及びＲ光の光路に関しても、Ｂ光の光路と同様それぞれ入射した各色光のＰ偏光の光束が、Ｇ光用の光変調素子１６ｇ及びＲ光用の光変調素子１６ｒに入射し光変調及び反射される。
Ｇ光用の光変調素子１６ｇ及びＲ光用の光変調素子１６ｒで反射した光束の内、変調成分であるＳ偏光の各色光の光束が透過型偏光板１７ｇ，１７ｒを透過して、クロスダイクロイックプリズム１１のＧ光入射面１１ｂ及びＲ光入射面１１ｃからクロスダイクロイックプリズム１１に入射する。
【００２８】
クロスダイクロイックプリズム１１に入射したＲ光，Ｇ光及びＢ光の光束は、クロスダイクロイックプリズム１１で色合成された合成光束として射出面１１ｄから射出する。
クロスダイクロイックプリズム１１から射出された合成光束は、投射レンズ２０によって拡大されスクリーン２１に投影される。
【００２９】
投影される投影光における塵埃の付着の影響は、塵埃の付着個所によって異なる。投射型表示装置１の光路において、同一の大きさの塵埃が付着した場合、その付着個所が光変調素子１６ｒ，１６ｇ，１６ｂに近ければ近いほど投影光に塵埃の影響が現れ、投影画像に黒点及び輝点等が現れる。
【００３０】
Ｒ光用の偏光板１５ｒ，Ｇ光用の偏光板１５ｇ及びＢ光用の偏光板１５ｂから光変調素子１６ｒ，１６ｇ，１６ｂを経由してクロスダイクロイックプリズム１１に至る光路については、上述のように塵埃が付着しないようにそれぞれの部品が密閉された空間に配設されている。
【００３１】
クロスダイクロイックプリズム１１の射出面１１ｄと投射レンズ２０との間の防塵構造について図３〜図５を用いて説明する。
図３は、クロスダイクロイックプリズム１１と投射レンズ２０との間の防塵構造を示す斜視分解構成図である。図４は、クロスダイクロイックプリズム１１と投射レンズ２０との間に防塵構造部材を取付けた状態を示す水平断面図である。図５(ａ)，(ｂ)は、投射レンズ２０を左右に移動した状態を示す水平断面図である。
ここでは、反射型液晶パネル組立体９ｒ，９ｇ，９ｂ等の部材を省略し、クロスダイクロイックプリズム１１と投射レンズ２０との間の防塵構造を理解しやすいように示している。
【００３２】
図３〜図５に示すように、本実施例の投射型表示装置は、レンズシフト機能を有しており、クロスダイクロイックプリズム１１と投射レンズ２０との間に、投射レンズ２０を上下左右方向に移動可能とするレンズシフト機構部材３１〜３３及び防塵構造部材３４〜３６を備えている。
【００３３】
レンズシフト機構の構造は、次のとおりである。
投射レンズ２０はその鍔部２０ａを介して垂直可動板３１に固定されており、垂直可動板３１は水平可動板３２の垂直ガイド部３２ａに上下可動な状態で装着されている。更に、水平可動板３２は、固定ベース３３の水平ガイド部３３ａに左右可動な状態で装着されている。
これにより、投射レンズ２０は、垂直可動板３１及び水平可動板３２を介して固定ベース３３に、上下左右可動な状態で固定される。
また、固定ベース３３は、クロスダイクロイックプリズム１１と共に図示しない一体化部材に固定されている。
また、レンズシフト機構は外部から供給された動力により、投射レンズを光軸と直交する方向に移動するようになっている。
【００３４】
一方、防塵構造は、投射レンズ２０とクロスダイクロイックプリズム１１との間に配設された複数の防塵構造部材３４〜３６から構成されている。
投射レンズ２０側には、第１防塵構造部材であるリング状のレンズフランジ３４が配設されている。レンズフランジ３４は、投射レンズ２０の光入射面２０ｂの外周より外形が大きなリング状の鍔部３４ａと、リング状の鍔部３４ａの内周に形成され内周が投射レンズ２０の光入射面２０ｂの外周とほぼ同じ直径であるレンズ嵌合部３４ｂとを備えている。
【００３５】
リング状の鍔部３４ａは光入射面２０ｂよりクロスダイクロイックプリズム１１側に近い位置に形成されており、レンズ嵌合部３４ｂは鍔部３４ａの内周部の全周に渡って投射レンズ２０側に突出した形状に形成されている。
レンズフランジ３４は、剛性の高い材料であることが必要である。例えば、アルミダイカストなどの金属や、成型された硬質のプラスチックなどがあげられる。
【００３６】
クロスダイクロイックプリズム１１側には、中空の四角柱或いは四角錐台形状の内面がクロスダイクロイックプリズム１１の射出面１１ｄの外形を囲むように形成されており、その投射レンズ２０側の端面に鍔部３５ａを持つ第２防塵構造部材であるプリズムフランジ３５が配設されている。
また、プリズムフランジ３５の中空の四角柱或いは四角錐台形状の部分は、クロスダイクロイックプリズム１１のＢ光入射面１１ａ及びＲ光入射面１１ｃに係合されているが、偏光板防塵部材１８ｂ，１８ｇには干渉しない領域に配設されている。
プリズムフランジ３５は、剛性の高い材料であることが必要である。例えば、アルミダイカストなどの金属や、成型された硬質のプラスチックなどがあげられる。
【００３７】
レンズフランジ３４の鍔部３４ａのクロスダイクロイックプリズム１１側の面及びプリズムフランジ３５の鍔部３５ａの投射レンズ２０側の面は、平坦に加工されている。
レンズフランジ３４の鍔部３４ａとプリズムフランジ３５の鍔部３５ａとの間には、第３防塵構造部材である防塵パッキン３６が配設されている。
防塵パッキン３６は、ウレタンフォーム、発泡シリコンフォーム、シリコンゴム、ゴムスポンジなどの変形可能な弾性部材で形成されており、レンズフランジ３４の鍔部３４ａとプリズムフランジ３５の鍔部３５ａとにより押圧され挾持されている。
【００３８】
更に、防塵パッキン３６の形状はリング状であり、内周の開口部３６ａの直径はレンズフランジ３４の開口部３４ｂの直径及びプリズムフランジ３５の開口部３６ｂの対角の長さより長くなっている。
また、防塵パッキン３６の外径は、レンズフランジ３４の外径又はプリズムフランジ３５の外径の少なくとも一方より大きく形成されている。
【００３９】
防塵パッキン３６は、レンズフランジ３４の鍔部３４ａ又はプリズムフランジ３５の鍔部３５ａのいずれか一方に固着されている。
以下、防塵パッキン３６がプリズムフランジ３５の鍔部３５ａに固定された場合のレンズシフト機構の動作について説明する。防塵パッキン３６がレンズフランジ３４の鍔部３４に固定された場合についてもほぼ同等の動作である。
【００４０】
図４に示すように、防塵パッキン３６の外径は、プリズムフランジ３５の外径と同等以上の長さであり、レンズフランジ３４は防塵パッキン３６に押し付けられ密着した構造となる。
防塵パッキン３６の内周の開口部３６ａの中心とレンズフランジ３４の開口部３４ｂの中心とが一致するようレンズフランジ３４に防塵パッキン３６が固着されている。
レンズフランジ３４は、防塵パッキン３６に押し付けられた構造となり、両者の開口部３４ａ,３６ａの外周が全周に渡って常に重なり合う状態にし、防塵構造とする。
クロスダイクロイックプリズム１１，投射レンズ２０，レンズフランジ３４，プリズムフランジ３５及び防塵パッキン３６で形成される空間は、密閉され外部と遮断され外部の塵埃が内部の空間に入り込むことを防いでいる。
【００４１】
投射レンズ２０がレンズシフト機構部材３１〜３３によって左右に移動した際の防塵構造部材３４〜３６の動作を図５（ａ），（ｂ）に示す。
図５（ａ），（ｂ）は、投射型表示装置１のクロスダイクロイックプリズム１１から投射レンズ２０にかけての部材（投射光学系とも言う）を上方から見た水平断面図である。
図５（ａ）は投射レンズ２０をスクリーン２１側から見て右（図の上側）に移動した際のレンズシフト機構部材３１〜３３及び防塵構造部材３４〜３６の位置を示すものであり、図５（ｂ）は投射レンズ２０をスクリーン２１側から見て左（図の下側）に移動した際のレンズシフト機構部材３１〜３３及び防塵構造部材３４〜３６の位置を示すものである。
【００４２】
投射レンズ２０の鍔部２０ａで垂直可動板３１と固定された投射レンズ２０は、垂直ガイド部３２ａを介して水平可動板３２と水平方向に一体化されている。更に、水平可動板は、固定ベース３３の図示しない水平ガイド部で保持され水平（左右）方向に可動可能となっている。
図５（ａ）には、投射レンズ２０を垂直可動板３１及び水平可動板３２と一体としてスクリーン２１側から見て最も右（図の上側）に移動させた状態を示している。
【００４３】
投射レンズ２０がスクリーン２１側から見て最も右（図の上側）に距離Ｘ１移動すると、投射レンズの光入射面２０ｂに配設されたレンズフランジ３４は投射レンズ２０と一体として距離Ｘ１移動する。
一方、クロスダイクロイックプリズム１１の射出面１１ｄに配設されたプリズムフランジ３５及びプリズムフランジ３５の鍔部３５ａに固着された防塵パッキン３６は、クロスダイクロイックプリズム１１が図示しない一体化部材に固定されているため、投射レンズ２０の移動にかかわらず動くことは無い。
【００４４】
投射レンズ２０の移動の際、レンズフランジ３４の鍔部３４ａのクロスダイクロイックプリズム１１側は上述のように平坦に加工されているため、変形可能な弾性部材で形成された防塵パッキン３６上を押圧状態を変えることなく滑らかに移動することができる。
【００４５】
更に、図４のスクリーン２１側から見て左（図の下側）のレンズフランジ３４の鍔部３４ａと防塵パッキン３６との重なった部分の長さＹ１が、投射レンズ２０のスクリーン２１側から見て最も右（図の上側）への移動距離Ｘ１より大きいため、投射レンズ２０のスクリーン２１側から見て最も右（図の上側）への移動した場合でも、クロスダイクロイックプリズム１１，防塵構造部材３４〜３６，投射レンズ２０で形成される空間の密閉が保たれる。
【００４６】
また、図５（ｂ）は、投射レンズ２０を垂直可動板３１及び水平可動板３２と一体としてスクリーン２１側から見て最も左（図の下側）に移動させた状態を示している。
投射レンズ２０がスクリーン２１側から見て最も左（図の下側）に距離Ｘ２移動すると、投射レンズの光入射面２０ｂに配設されたレンズフランジ３４は投射レンズ２０と一体として距離Ｘ２移動する。
【００４７】
一方、クロスダイクロイックプリズム１１の射出面１１ｄに配設されたプリズムフランジ３５及びプリズムフランジ３５の鍔部３５ａに固着された防塵パッキン３６は、クロスダイクロイックプリズム１１が図示しない一体化部材に固定されているため、投射レンズ２０の移動にかかわらず動くことは無い。
投射レンズ２０の移動の際、レンズフランジ３４の鍔部３４ａのクロスダイクロイックプリズム１１側は上述のように平坦に加工されているため、変形可能な弾性部材で形成された防塵パッキン３６上を押圧状態を変えることなく滑らかに移動することができる。
【００４８】
更に、図４のスクリーン２１側から見て右（図の上側）のレンズフランジ３４の鍔部３４ａと防塵パッキン３６との重なった部分の長さＹ２が、投射レンズ２０のスクリーン２１側から見て最も左（図の下側）への移動距離Ｘ２より大きいため、投射レンズ２０のスクリーン２１側から見て最も左（図の下側）への移動した場合でも、クロスダイクロイックプリズム１１，防塵構造部材３４〜３６，投射レンズ２０で形成される空間の密閉が保たれる。
【００４９】
以上、説明したように、本実施形態によれば、投射レンズ２０が上下左右に移動可能なレンズシフト機能を有する投射型表示装置１において、クロスダイクロイックプリズム１１と投射レンズ２０との間に剛性の高い材料で形成された２つのフランジ３４，３５及び変形可能な弾性部材で形成された防塵パッキン３６を備え、密閉空間を形成することにより、投射レンズ２０を移動させた際にクロスダイクロイックプリズム１１と投射レンズ２０との間の密閉空間が無く、クロスダイクロイックプリズム１１の射出面１１ｄ及び投射レンズ２０の光入射面２０ｂに塵埃の付着する虞を少なくすることができる。
これによって、投射画像に対する塵埃の影響を低減することができ、投射画像のコントラストの低下を防ぐことができる。
【００５０】
また、レンズフランジ３４の鍔部３４ａのクロスダイクロイックプリズム１１側の面を平坦化するだけでなく、フッ素加工等により高滑性にすることにより、レンズフランジ３４と防塵パッキン３６との摺動性を向上することができる。
【００５１】
また、防塵パッキン３６のレンズフランジ３４側の端面を平坦化するだけでなく、表面にＰＥＴフイルムを一体成形することによりレンズフランジ３４と防塵パッキン３６との摺動性を向上することができる。
【００５２】
また、本実施形態においては、３枚の反射型光変調素子を用いた場合について説明したが、３枚の透過型光変調素子を用いた場合にも本発明の防塵構造を用いることができる。
更に、カラーフィルタを用いる方法や、時分割駆動を行う方法により１枚の光変調素子でカラー画像を表示することが可能な投射型表示装置に対しても、本実施形態の防塵機構を用いることができる。
１枚の光変調素子を用いる場合、光変調素子で光変調された光束の変調状態を検出する偏光ビームスプリッタや、光束の大きさを調整するリレーレンズ等を調整光学系として用いる。
【図面の簡単な説明】
【００５３】
【図１】本発明の一実施形態に係る投射型表示装置を示す平面図である。
【図２】本発明の一実施形態に係る投射型表示装置の光変調部を示す拡大平面図である。
【図３】本発明の一実施形態に係る投射型表示装置の投射光学系を示す斜視分解構成図である。
【図４】本発明の一実施形態に係る投射型表示装置の投射光学系を上方から見た水平断面図である。
【図５】本発明の一実施形態に係る投射型表示装置の投射部を上方から見た図であり、（ａ）は投射レンズをスクリーン側から見て右に移動した場合を示し、（ｂ）は投射レンズをスクリーン側から見て左に移動した場合を示す水平断面図である。
【符号の説明】
【００５４】
１…投射型表示装置、２…光源、３…赤外線透過フィルタ、４…紫外線反射フィルタ、５…インテグレータ光学系、６…偏光変換素子、７…Ｂダイクロイックミラー、８…反射ミラー、９ｒ，９ｇ，９ｂ…反射型液晶パネル組立体、１０…ＲＧダイクロイックミラー、１１…クロスダイクロイックプリズム、１２ｒ，１２ｇ，１２ｂ…第１面、１３ｒ，１３ｇ，１３ｂ…第２面、１４ｒ，１４ｇ，１４ｂ…第３面、１５ｒ，１５ｇ，１５ｂ…偏光板、１６ｒ，１６ｇ，１６ｂ…光変調素子、１７ｒ，１７ｇ，１７ｂ…透過型偏光板、１８ｒ，１８ｇ，１８ｂ…偏光板防塵部材、１９ｒ，１９ｇ，１９ｂ…冷却部材、２０…投射レンズ、２１…スクリーン、３１…垂直可動板、３２…水平可動板、３３…固定ベース、３４…レンズフランジ、３５…プリズムフランジ、３６…防塵パッキン
【図１】
2010128135.tif 000003
【図２】
2010128135.tif 000004
【図３】
2010128135.tif 000005
【図４】
2010128135.tif 000006
【図５】
2010128135.tif 000007